(57)【要約】  第１のセルを制御し、ユーザ・プレーン（３）および制御プレーン（４）をユーザ機器（２）に提供する基地局（１）であって、前記第１のセルは、３ＧＰＰ  Ｘ２インターフェースを用いて前記基地局に接続された第２の基地局（５）の制御下の第２のセルにオーバーレイし、前記第２のセル（５）はそのユーザ機器（２）の潜在的ハンドオーバー目標であり、前記ユーザ・プレーン（３）はパケット・データ収束プロトコル層、無線リンク制御層、媒体アクセス制御層、および物理層を含み、ユーザ・プレーン・トラフィックが前記第２の基地局の媒体アクセス制御層および物理層を介してユーザ機器（２）に配信されるように、前記基地局（１）は、３ＧＰＰ  Ｘ２インターフェースを介して、ユーザ・プレーン（３）の媒体アクセス制御層および物理層を前記第２の基地局に切り替えるように構成される。
2015530839.tif 000002
【特許請求の範囲】
【請求項１】
第１のセルを制御し、ユーザ・プレーン（３）および制御プレーン（４）をユーザ機器（２）に提供する基地局（１）であって、前記第１のセルが、３ＧＰＰ  Ｘ２インターフェースを用いて前記基地局に接続された第２の基地局（５）の制御下の第２のセルにオーバーレイし、前記第２のセル（５）が、前記ユーザ機器（２）の潜在的ハンドオーバー目標であり、前記ユーザ・プレーン（３）が、パケット・データ収束プロトコル層、無線リンク制御層、媒体アクセス制御層、および物理層を含み、前記ユーザ・プレーン・トラフィックが前記第２の基地局の前記媒体アクセス制御層および前記物理層を介して前記ユーザ機器（２）に配信されるように、前記基地局（１）が、前記３ＧＰＰ  Ｘ２インターフェースを介して、前記ユーザ・プレーン（３）の前記媒体アクセス制御層および前記物理層を前記第２の基地局に切り替えるように構成された、基地局（１）。
【請求項２】
前記制御プレーン（４）と、前記ユーザ・プレーン（３）の前記パケット・データ収束プロトコル層および前記無線リンク制御層とを保持するようにさらに構成された、請求項１に記載の基地局。
【請求項３】
３ＧＰＰ  Ｘ２インターフェースを介してメッセージを前記第２の基地局に送信して前記第２の基地局（５）の前記ユーザ・プレーン（３）構成を更新するようにさらに構成された、請求項１または２に記載の基地局。
【請求項４】
ユーザ機器（２）への配信のために前記第２の基地局（５）に前記ユーザ機器（２）のユーザ・データ・トラフィックの少なくとも１つの無線リンク制御パケット・データ・ユニットを含めて、３ＧＰＰ  Ｘ２インターフェースを介して、メッセージを送信するようにさらに構成された、請求項１乃至３のいずれか１項に記載の基地局。
【請求項５】
前記メッセージが、前記第２の基地局（５）によって無線を介して配信されることになる前記ユーザ機器（２）の識別と、前記第２の基地局（５）によって優先順位をスケジュールするために使用されることになる前記無線リンク制御パケット・データ・ユニットに関連付けられたサービスの品質とを備える、請求項４に記載の基地局。
【請求項６】
請求項３に記載のメッセージと請求項４および５に記載のメッセージとを含むメッセージを、３ＧＰＰ  Ｘ２インターフェースを介して、送信するようにさらに構成された、請求項３乃至５のいずれか１項に記載の基地局。
【請求項７】
前記第２の基地局（５）での分割を前記ユーザ機器（２）に知らせるために、そして、前記ＵＥが前記第２の基地局（５）のみにユーザ・プレーン・アップリンク・データを送信し、前記第１の基地局（１）のみに制御プレーン・アップリンク・データを送信するように、制御プレーン・メッセージを前記ユーザ機器（２）に送信するようにさらに構成された、請求項１乃至６のいずれか１項に記載の基地局。
【請求項８】
請求項１乃至７のいずれか１項に記載の基地局（１）を備える、通信ネットワーク。
【請求項９】
基地局（１）の制御下のネットワーク・セル内のハンドオーバーの方法であって、前記ネットワーク・セルが、３ＧＰＰ  Ｘ２インターフェースを用いて前記基地局に接続された第２の基地局（５）の制御下の第２のセルにオーバーレイし、前記第２の基地セル（５）がユーザ機器（２）の潜在的ハンドオーバー目標であり、前記ユーザ・プレーン（３）がパケット・データ収束プロトコル層、無線リンク制御層、媒体アクセス制御層、および物理層を含み、前記方法が、ユーザ・プレーン・トラフィックが前記第２の基地局の前記媒体アクセス制御層および前記物理層を介して前記ユーザ機器（２）に配信されるように、前記第２の基地局への前記ユーザ・プレーン（３）の前記媒体アクセス制御層のおよび前記物理層の、前記３ＧＰＰ  Ｘ２インターフェースを介する、切替えステップを含む、方法。
【請求項１０】
前記基地局（１）内の制御プレーン（４）と前記ユーザ・プレーン（３）の前記パケット・データ収束プロトコル層および前記無線リンク制御層を保持するステップをさらに含む、請求項９に記載の方法。
【請求項１１】
前記第２の基地局（５）の前記ユーザ・プレーン（３）構成を更新するために、３ＧＰＰ  Ｘ２インターフェースを介してメッセージを前記第２の基地局（５）に送信するステップをさらに含む、請求項９または１０に記載の方法。
【請求項１２】
前記基地局（１）内の前記制御プレーン（４）のインスタンス化ステップをさらに含む、請求項９乃至１１のいずれか１項に記載の方法。
【発明の詳細な説明】
【技術分野】
【０００１】
本発明は、ロング・ターム・エボリューション（Ｌｏｎｇ  Ｔｅｒｍ  Ｅｖｏｌｕｔｉｏｎ：ＬＴＥ）システム内のプロトコル・スタック・アーキテクチャに関する。
【背景技術】
【０００２】
セルラ・ネットワーク内に小さいセルを配備することは、ネットワーク容量を高める効果を有することが知られている。したがって、広帯域サービスを推進し、トラフィック増加に対応するために、キロメートルからメートルに至る異なるセル・サイズを含む異なるワイヤレス・ネットワーク配備が存在する。
【０００３】
具体的には、セルラ・ネットワークは、マクロ・セルと呼ばれる大きなアンブレラ・セル（ｕｍｂｒｅｌｌａ  ｃｅｌｌ）によってそれぞれオーバーレイされた小さいセルの複数のセットを含む。小さいセル  −  マイクロ・セル、ピコ・セルおよびフェムト・セルを含む  −  は、通常は、市街／郊外区域および都心などの密集したトラフィック環境で配備される。
【０００４】
所与の区域で密集したトラフィックをサポートするために、異なる周波数の多数の小さいセルが配備され得るという結果になり、異周波数異種ネットワークをもたらす。たとえば、マクロ・セル・オーバーレイ・ネットワーク層に比べて小さいセル層のための高周波数の使用は、その小さいセルのトラフィックの高いデータ転送速度を可能にする。
【０００５】
しかし、小さいセルのネットワーク化の最大の困難な課題の１つは、ハンドオーバー管理、または、より一般的には、マクロ・セルと小さいセルの間の移動性管理である。実際に、小さいセル配備が密集するほど、より頻繁に移動局はセルを横切って移動し、より多くのハンドオーバー要求を引き起こす。したがって、小さいセルによって供される高いデータ転送速度に利するために、移動局は、マクロ・セルと小さいセルの間の非常に頻繁な大量のハンドオーバー機構を経験することを余儀なくされ、サービスの品質の低下（すなわち、通信品質の低下、一時的中断、データ損失、サービス切断の潜在的リスク）、および、より速い移動局の電力消費につながる。特に、このサービス品質低下は、小さいセルの配備が密集するにつれて、より深刻になる。
【０００６】
本発明の目的は、小さいセルがマクロ・セル・ネットワークによってオーバーレイされる、密集した小さいセルのネットワークにおけるサービスのネットワーク品質を高めることである。
【０００７】
本発明のもう１つの目的は、異周波数異種ネットワーク内で、特に複数の小さいセルにオーバーレイする大きなセル（マクロ・セル）内で、ハンドオーバー機構を強化することである。
【０００８】
本発明のもう１つの目的は、所与のマクロ・セルの小さいセルのハンドオーバー信号伝達負荷を軽減することである。
【０００９】
本発明のもう１つの目的は、マクロ・セルの制御プレーンによって供されるユーザ機器を保持しながらより高いデータ転送速度に利するために、小さいセルを介してユーザ・プレーン・トラフィックを配信するための方法を提供することである。
【発明の概要】
【００１０】
様々な実施形態が、前述の問題のうちの１つまたは複数の問題の影響への対処に向けられる。以下は、様々な実施形態のいくつかの態様の基本的理解を実現するために、実施形態の簡易化された概要を提示する。本概要は、これらの様々な実施形態の包括的な要約ではない。それは、重要な要素の鍵を識別することまたはこれらの様々な実施形態の範囲を線引きすることを意図されていない。その唯一の目的は、後で論じられるより詳細な説明の前置きとして簡易化された形でいくつかの概念を提示することである。
【００１１】
様々な実施形態は、第１のセルを制御するならびにユーザ・プレーンおよび制御プレーンをユーザ機器に提供する基地局に関し、前記第１のセルは、３ＧＰＰ  Ｘ２インターフェースを用いて前記基地局に接続された第２の基地局の制御下の第２のセルにオーバーレイし、前記第２のセルは、ユーザ機器の潜在的ハンドオーバー目標であり、前記ユーザ・プレーンは、パケット・データ収束プロトコル層、無線リンク制御層、媒体アクセス制御層、および物理層を含み、ユーザ・プレーン・トラフィックが、前記第２の基地局の媒体アクセス制御層、および物理層を介してユーザ機器に配信されるように、前記基地局は、３ＧＰＰ  Ｘ２インターフェースを介して、ユーザ・プレーンの媒体アクセス制御層、および物理層を前記第２の基地局に切り替えるように構成される。
【００１２】
１つの広い態様によれば、前述の基地局はさらに、制御プレーンならびにユーザ・プレーンのパケット・データ収束プロトコル層および無線リンク制御層を保持するように構成される。
【００１３】
もう１つの広い態様によれば、前述の基地局はさらに、３ＧＰＰ  Ｘ２インターフェースを介してメッセージを第２の基地局に送信して前記第２の基地局のユーザ・プレーン構成を更新して切替えを実現するように構成される。
【００１４】
もう１つの広い態様によれば、前述の基地局はさらに、３ＧＰＰ  Ｘ２インターフェースを介して、ユーザ機器への配信のための前記第２の基地局にユーザ機器のユーザ・データ・トラフィックの無線リンク制御パケット・データ・ユニットを含むメッセージを送信するように構成される。
【００１５】
もう１つの広い態様によれば、前述の基地局は、３ＧＰＰ  Ｘ２インターフェースを介してメッセージを第２の基地局に送信して前記第２の基地局のユーザ・プレーン構成を更新して切替えを実現するようにさらに構成され、このメッセージは、ユーザ機器への配信のための前記第２の基地局へのユーザ機器のユーザ・データ・トラフィックの無線リンク制御パケット・データ・ユニットを含む。
【００１６】
様々な実施形態はさらに、前述の基地局を備える通信ネットワークに関する。
【００１７】
様々な実施形態がさらに、基地局の制御下のネットワーク・セル内のハンドオーバーの方法に関し、前記ネットワーク・セルは３ＧＰＰ  Ｘ２インターフェースを用いて前記基地局に接続された第２の基地局の制御下の第２のセルにオーバーレイし、前記第２のセルはユーザ機器の潜在的ハンドオーバー目標であり、前記ユーザ・プレーンはパケット・データ収束プロトコル層、無線リンク制御層、媒体アクセス制御層、および物理層を含み、前記方法は、ユーザ・プレーン・トラフィックが前記第２の基地局の媒体アクセス制御層および物理層を介してユーザ機器に配信されるように、前記第２の基地局へのユーザ・プレーンの媒体アクセス制御層のおよび物理層の、３ＧＰＰ  Ｘ２インターフェースを介する、切替えステップを含む。
【００１８】
それらの様々な実施形態は、様々な修正および代替の形の影響を受けやすいが、それらの特定の実施形態が、図中の例を用いて示されている。しかし、特定の実施形態の本明細書での記載は、開示された特定の形にそれらの様々な実施形態を限定するものではないことを理解されたい。
【００１９】
任意のそのような実際の実施形態の開発では、実装特有の決定が、システム関連およびビジネス関連の制約の順守など、開発者の特有の目的を達成するために行われるはずであることが、勿論、理解されるであろう。そのような開発の努力は、時間を要し得るが、それでもなお、本開示の利益を得る当業者の通常の理解であり得ることが理解されよう。
【００２０】
本発明の目的、利点、および他の特徴は、以下の開示および特許請求の範囲からより明らかとなろう。好ましい実施形態の以下の非制限的説明は、以下のような添付の図面を参照して例示のみを目的として与えられる。
【図面の簡単な説明】
【００２１】
【図１】先行技術によるユーザ・プレーンおよび制御プレーンの無線プロトコル・アーキテクチャを示す概略図である。
【図２】一実施形態によるユーザ・プレーンおよび制御プレーンの無線プロトコル・アーキテクチャを示す概略図である。
【図３】前述の実施形態によるネットワーク・エンティティ間の相互作用を示す概略図である。
【発明を実施するための形態】
【００２２】
ユーザ機器（ＵＥ）という用語によって、ＬＴＥまたはＬＴＥ−Ａあるいはその両方をサポートする任意のユーザ・デバイス（移動局、加入者ステーション、携帯端末、ユーザ端末、またはワイヤレス・デバイスとしても知られる）を意味することが意図されている。
【００２３】
マクロ・セルを制御するｅＮｏｄｅＢ（または、進化型ノードＢ（ｅｖｏｌｖｅｄ  ｎｏｄｅ  Ｂ）を表すｅＮＢ、ベース・トランシーバ・システム、基地局、またはアクセス・ポイントとしても知られる）は、以下でマクロｅＮｏｄｅＢ（またはマクロ基地局）と表される。同様に、小さいセル（マイクロ・セル、ピコ・セルまたはフェムト・セルなど）を制御するｅＮｏｄｅＢは、小さいｅＮｏｄｅＢまたは小さい基地局（それぞれ、マイクロｅＮｏｄｅＢ、ピコｅＮｏｄｅＢ、フェムトｅＮｏｄｅＢ）と表される。
【００２４】
図１を参照すると、Ｓ１制御プレーン（Ｓ１−Ｃ）およびＳ１ユーザ・プレーン（Ｓ１−Ｕ）に分けられる３ＧＰＰ定義のＳ１インターフェースを介してコアネットワークに接続されたマクロｅＮｏｄｅＢ１が示される。さらに、マクロｅＮｏｄｅＢ１は、ＬＴＥ無線インターフェースＵｕを介して、ユーザ・プレーン３および制御プレーン４をＵＥ２に提供する。
【００２５】
ＬＴＥネットワーク内で、ｅＮｏｄｅＢは、３ＧＰＰ定義のＸ２インターフェースを用いて相互接続される。
【００２６】
ＵＥ２とマクロｅＮｏｄｅＢ１の間の無線インターフェース・プロトコルの層は、オープン・システム・インターコネクション（ｏｐｅｎ  ｓｙｓｔｅｍ  ｉｎｔｅｒｃｏｎｎｅｃｔｉｏｎ：ＯＳＩ）モデルに基づく。
【００２７】
実際に、ＵＥ２のデータ・トラフィックを運ぶ（すなわち、ユーザ・データ送信の）責任を有するユーザ・プレーン３は、マクロｅＮｏｄｅＢ１内に置かれたプロトコル・スタックに依存する。このプロトコル・スタックは、パケット・データ収束プロトコル（ＰＤＣＰ）層、無線リンク制御（ＲＬＣ）層、媒体アクセス制御（ＭＡＣ）層、および物理（ＰＨＹ）層を含む。
【００２８】
制御情報を運ぶこと（信号伝達としても知られる）によって機構を制御する責任を有する制御プレーン４は、マクロｅＮｏｄｅＢ１内に置かれたプロトコル・スタックに基づく。このプロトコル・スタックは、パケット・データ収束プロトコル（ＰＤＣＰ）層、無線リンク制御（ＲＬＣ）層、媒体アクセス制御（ＭＡＣ）層、および物理（ＰＨＹ）層を含む。
【００２９】
具体的には、図１に示すような先行技術によれば、ユーザ・プレーン３のプロトコル・スタックおよび制御プレーン４のプロトコル・スタックは、マクロｅＮｏｄｅＢ１内に共に存在する。
【００３０】
ここで図２を参照すると、プロトコル・スタック・アーキテクチャは、マクロｅＮｏｄｅＢ１によって供されるＵＥ２が、マクロ・セルによってオーバーレイされた小さいセル（すなわち、潜在的ハンドオーバー目標の小さいセル）の適用範囲（または適用範囲辺）の下にある（またはそこに向けて移動する）とき、このＵＥ２のＥＵＴＲＡＮ無線アクセス・ベアラ（Ｅ−ＲＡＢ）のデータ・トラフィック（すなわち、ユーザ・プレーン３）が、制御プレーン４、ＵＥコンテキスト、および、マクロｅＮｏｄｅＢ１内に置かれたそれらのＥ−ＲＡＢに対応するＰＤＣＰ／ＲＬＣエンティティを保持しながら、小さいセルを制御する小さいｅＮｏｄｅＢに切り替わるように、設計される。具体的には、ユーザ・プレーン３のプロトコル・アーキテクチャおよび制御プレーン４のプロトコル・アーキテクチャは、ＵＥ２がマクロ・セルから小さいセルに移動するときに、マクロｅＮｏｄｅＢ１に関わるハンドオーバー信号伝達および動作と全体的なハンドオーバー割込み時間とがそれの最低水準まで低減されるように設計される。
【００３１】
マクロｅＮｏｄｅＢ１内のユーザ・プレーン３のＭＡＣ層およびＰＨＹ層を小さいｅＮｏｄｅＢ５に切り替えることによって、これらの層の機能を小さいｅＮｏｄｅＢ５内のそれらの対応する層に委託／作用する事実を意味することが意図されている。
【００３２】
その結果、一実施形態で、制御プレーン４のおよびユーザ・プレーン３のプロトコル・スタックは、以下のように、２つのｅＮｏｄｅＢ（すなわち、２つのセル）、すなわち供給するマクロｅＮｏｄｅＢ１および供給する小さいｅＮｏｄｅＢ５、の間で分割される
−  制御プレーン４のプロトコル・スタックが、供給するマクロｅＮｏｄｅＢ１内で保持され、そして、
−  ユーザ・プレーン３のプロトコル・スタックは、マクロｅＮｏｄｅＢ１および小さいｅＮｏｄｅＢ５の間で分割される：ＰＤＣＰ層およびＲＬＣ層はマクロｅＮｏｄｅＢ１内に存在し、一方、ユーザ・プレーン３のＭＡＣ層およびＰＨＹ層は小さいｅＮｏｄｅＢ５に切り替えられる。
【００３３】
その結果として、ユーザ・プレーン・トラフィック（すなわち、データ・ストリーム）は、マクロｅＮｏｄｅＢ１で制御プレーン・トラフィックを保持しながら、できる限り、小さいｅＮｏｄｅＢ５に誘導される。
【００３４】
前述の実施形態のプロトコル・アーキテクチャに対応する図３では、マクロｅＮｏｄｅＢ１と小さいｅＮｏｄｅＢ５の間の３ＧＰＰ定義のＸ２インターフェースが、ＵＥ２の複数のＥ−ＲＡＢ（ユーザ・データ・トラフィック）のＲＬＣ  ＰＤＵ（無線リンク制御パケット・データ・ユニット）の、マクロｅＮｏｄｅＢ１から小さいｅＮｏｄｅＢ５への、転送を可能にする（すなわち、Ｘ２インターフェースを介して、小さいｅＮｏｄｅＢ５にユーザ機器２のユーザ・プレーン・トラフィックをサポートするように要求する）ようになされる。
【００３５】
実際に、Ｘ２「データ転送」メッセージ（図３を参照）は、配信するための実際のＲＬＣ  ＰＤＵに加えて、無線を介して小さいｅＮｏｄｅＢ５での適切なスケジューリングを可能にするために、ＵＥ２の識別（接続無線ネットワーク一時識別子のＣＲＮＴＩなど）およびＲＬＣ  ＰＤＵに関連付けられたＱｏＳを含むように構成される。
【００３６】
さらに、マクロｅＮｏｄｅＢ１から小さいｅＮｏｄｅＢ５に送信される１つまたはいくつかの３ＧＰＰ定義のＸ２「構成更新」メッセージは、ＵＥ２について前述されたＭＡＣおよびＰＨＹ層の切替えをトリガするなどのために、小さいｅＮｏｄｅＢ５のユーザ・プレーン構成（図３を参照）を更新するようにプログラムされる。この切替えは、前述の第１のＸ２「データ転送」メッセージを予期して（すなわち、第１のＲＬＣ  ＰＤＵ転送を予期して）、または、Ｘ２メッセージが結合され得る場合に同時に（たとえば、第１のＸ２データ転送メッセージもまたユーザ・プレーン切替えのトリガの役割を果たすように、Ｘ２データ転送メッセージへのＸ２「構成更新」メッセージに含まれる構成パラメータのピギーバック）のいずれかで起こり得る。
【００３７】
さらに、他のＸ２構成メッセージもまたさらに、マクロｅＮｏｄｅＢ１から小さいｅＮｏｄｅＢ５に送信されて、ＲＲＣ（無線資源制御）からＭＡＣ（小さいｅＮｏｄｅＢ５内の）への必要な更新の場合に（図３）スケジューリングの制御を更新することができる（マクロｅＮｏｄｅＢ１内に残る制御プレーン）。
【００３８】
マクロｅＮｏｄｅＢは、小さいｅＮｏｄｅＢ５での分割をこのＵＥ２に知らせるために、そして、優先順位付けを尊重しながら、このＵＥ２が、小さいセルのみにユーザ・プレーン・アップリンク・データを送信し、マクロｅＮｏｄｅＢのみに制御プレーン・アップリンク・データを送信することができるように、ＵＥ２に制御プレーンメッセージを送信するようにさらに構成される。
【００３９】
ＵＥ２がマクロ・セルから／に小さいセルに／から移動するとき、ＰＤＣＰシーケンス転送は、中央ＰＤＣＰエンティティに起因して必要とされないが、マクロｅＮｏｄｅＢ１内に置かれた中央ＲＬＣエンティティによって必要とされる場合に、ＲＬＣ再送信が実行される。ＵＥ２は、適切に切替えに応じてマクロｅＮｏｄｅＢ１からまたは小さいｅＮｏｄｅＢ５からユーザ・データ・トラフィックを受信する。
【００４０】
その結果、プロトコル・スタックの図２に示された特定のアーキテクチャは、制御プレーン４を切り替えるまたは再配置する必要なしに、ＵＥコンテキストを再配置する必要なしに、そしてまた、小さいｅＮｏｄｅＢ５とマクロｅＮｏｄｅＢ１の間でこれらのＰＤＣＰ／ＲＬＣエンティティを再配置し、それによって完全なシームレスなハンドオーバー手続きを確保することなしに、マクロｅＮｏｄｅＢ１と小さいｅＮｏｄｅＢ５の間でユーザ・プレーン３を交互に切り替えることを可能にする。制御プレーンが、マクロｅＮｏｄｅＢ１でインスタンス化され、そして、ユーザ・プレーン・トラフィックが、このマクロｅＮｏｄｅＢ１から無線リンク制御層の下で切り替えられて、小さいｅＮｏｄｅＢ５の媒体アクセス制御層、および物理層を介して配信されることになる。ＭＡＣエンティティが、複数のＵＥ２の複数のＥ−ＲＡＢからマクロｅＮｏｄｅＢ１に由来するＲＬＣ  ＰＤＵデータ・トラフィックを配信するために、小さいｅＮｏｄｅＢ５で使用される。
【００４１】
ＵＥ２がさらに、第１の小さいセルの適用範囲から別の潜在的ハンドオーバー目標の第２の小さいセルに移動するとき、第１の小さいセルと潜在的ハンドオーバー目標の第２の小さいセルの両方が同じマクロ・セルによってオーバーレイされ、制御プレーンのみがインスタンス化され、そして、ユーザ・プレーンのＭＡＣ層および物理層が潜在的ハンドオーバー目標の第２の小さいｅＮｏｄｅＢに切り替えられ（委託され）得る（ユーザ・プレーンのプロトコル・スタックのＰＤＣＰ／ＲＬＣ層は、マクロｅＮｏｄｅＢ１に集中して保持される）。
【００４２】
有利には、制御プレーンのプロトコル・スタックとマクロｅＮｏｄｅＢ１でのユーザ・プレーンのプロトコル・スタックのＰＤＣＰおよびＲＬＣ層（具体的には、集中型のＲＬＣ層）の保持の事実は、小さいｅＮｏｄｅＢ５とマクロｅＮｏｄｅＢ１の間でＵＥ２の制御プレーン、ＵＥコンテキストおよびＲＬＣ／ＰＤＣＰエンティティを再配置する必要なしにマクロ・セルと小さいセルの間でユーザ・プレーンを交互に切り替えることを可能にし、それにより、具体的には、その切替えが小さいセルの同期割込み時間を回避するのにも十分に早く行われた場合に、完全なシームレスなハンドオーバー手続きを確保する。これは、小さいセルが密集して配備されるが小さいセル層の連続する適用範囲を有さない異種ネットワークを横切って移動するＵＥの広範囲に及ぶシナリオを考慮した性能強化目標に関して特に重要である。したがって、開示されるプロトコル・アーキテクチャでは、ＵＥは、制御プレーン移動性性能を低下させずに、小さいセル内のユーザ・データの高いデータ転送速度の利益を受けることができる。
【００４３】
有利には、前述の方法によれば、
−  ユーザ・プレーン・ベアラのすべてまたはいくつか（図２のユーザ・プレーンＵｕ）は、小さいｅＮｏｄｅＢ５を介して運ぶことができ、そして、どのユーザ・プレーン・ベアラが小さいｅＮｏｄｅＢ５を介して送信されるかの選択は、マクロｅＮｏｄｅＢ１（図２の制御プレーンＵｕ）によって制御される。さらに、アップリンクおよびダウンリンク・トラフィックの分割は、異なり得る。
【００４４】
前述の実施形態は、より小さいサイズの２つ以上のセル（たとえば、ピコ・セルまたはフェムト・セル）にオーバーレイする任意の他のセル（たとえば、マイクロ・セル）に同様に適用され得ることに留意されたい。
【００４５】
前述の方法によれば、ＵＥは、マクロｅＮｏｄｅＢ１からの制御された信号伝達と、より高品質のサービスを提供する小さいｅＮｏｄｅＢ５からのサービスを受信する。それによって、マクロ・セル適用範囲内のどこでも、ユーザは、安定した（割込みのない）および高い品質（広帯域）のサービスを享受する。
【００４６】
前述のプロトコル・アーキテクチャは、現在の３ＧＰＰリリースに適していることに留意されたい。
【００４７】
前述の方法のもう１つの利点は、それが、異周波数異種ネットワークにおける小さいセルの高密度化を、そこでのシームレスなおよび円滑なハンドオーバー実行を確保しながら助け、サービスのよりよいネットワーク品質をもたらすということである。
【図１】
2015530839.tif 000003
【図２】
2015530839.tif 000004
【図３】
2015530839.tif 000005
【国際調査報告】
2015530839.tif 000006
2015530839.tif 000007
2015530839.tif 000008